(57)【要約】      （修正有）【課題】運搬等の取り扱いが簡単であり、使用後においても廃棄処理を簡単に行うことができる管状構造体を提供する。【解決手段】平板２２と、平板の一方の表面に、前記表面を基準として中空２６である複数の凸条部２４が設けられている樹脂製板体が巻回されてなる管状構造体１０である。【選択図】図１
0003202299.tif 000002
【実用新案登録請求の範囲】
【請求項１】
平板と、前記平板の一方の表面に、前記表面を基準として中空である複数の凸条部が設けられている樹脂製板体が巻回されてなることを特徴とする管状構造体。
【請求項２】
複数の前記凸条部が、互いに平行に配列された請求項１に記載の管状構造体。
【請求項３】
複数の前記凸条部が、一定間隔で配列された請求項２に記載の管状構造体。
【請求項４】
前記樹脂製板体の前記凸条部を内側にし、かつ前記凸条部の長手方向と交差する方向に巻回された請求項１から３のいずれかに記載の管状構造体。
【請求項５】
前記樹脂製板体の材質が、ポリプロピレン、ポリエチレン、ポリカーボネート、アクリル樹脂、ポリ塩化ビニル、及びポリエステルから選択される少なくとも１種である請求項１から４のいずれかに記載の管状構造体。
【請求項６】
前記管状構造体の長手方向の中心軸と、前記凸条部とが平行ではない請求項１から５のいずれかに記載の管状構造体。
【請求項７】
前記管状構造体が、複数層に構成されている請求項１から６のいずれかに記載の管状構造体。
【請求項８】
前記管状構造体の最表面が、熱溶着されている請求項１から７のいずれかに記載の管状構造体。
【請求項９】
前記凸条部の前記中空に、発光体を配置した請求項１から８のいずれかに記載の管状構造体。
【請求項１０】
前記凸条部の前記中空に、保冷剤、及び保温剤のいずれかを配置した請求項１から９のいずれかに記載の管状構造体。
【考案の詳細な説明】
【技術分野】
【０００１】
本考案は、管状構造体に関する。
【背景技術】
【０００２】
従来から、様々な用途において広く単管パイプが使用されており、例えば、工事現場における足場などや、工事現場、及びイベント会場等に設置されているバリケードなどに使用されている（例えば、特許文献１参照）。
【０００３】
前記単管パイプとしては、例えば、金属製、及び樹脂製の前記単管パイプが使用されている。金属製の前記単管パイプは、前記工事現場において前記足場に使用されるものと同じものが前記バリケードにも使用される。しかし、金属製の前記単管パイプは、１本で約１０ｋｇと重く、運搬するのにも大きな労力が必要であった。そこで、ＦＲＰ（繊維強化プラスチック）からなる樹脂製の前記単管パイプが開発されている。前記ＦＲＰからなる前記単管パイプは、金属製の前記単管パイプよりも軽量であるという利点がある。しかし、前記ＦＲＰからなる前記単管パイプは、製造コストが高い上に、素材の分離が困難であるためにリサイクルや廃棄処分が難しいという問題があり、依然として、金属製の前記単管パイプが広く使われている。
【０００４】
近年、東日本大震災の復興、及び東京オリンピックなどに向け、土木を中心に建設需要は増大が見込まれている。それに伴い、仮設資材業界も、ここ数年、年率１０％近く伸長している。一方、建設産業の担い手不足は深刻であり、全体の約３割が５５歳以上と、建設就業者の高齢化も進行している。そのため、金属製の前記単管パイプの重量による運搬等の取り扱いが大きな問題となっており、その改善が望まれている。
【０００５】
そこで、金属製の前記単管パイプに代わり、運搬等の取り扱いが簡単であり、使用後においても廃棄処理を簡単に行うことができる管状構造体の提供が望まれている。
【先行技術文献】
【特許文献】
【０００６】
【特許文献１】特開２０１０−１９４１１号公報
【考案の概要】
【考案が解決しようとする課題】
【０００７】
本考案は、従来における前記諸問題を解決し、以下の目的を達成することを課題とする。即ち、本考案は、運搬等の取り扱いが簡単であり、使用後においても廃棄処理を簡単に行うことができる管状構造体を提供することを目的とする。
【課題を解決するための手段】
【０００８】
前記課題を解決するための手段としては、以下の通りである。即ち、
＜１＞  平板と、前記平板の一方の表面に、前記表面を基準として中空である複数の凸条部が設けられている樹脂製板体が巻回されてなることを特徴とする管状構造体である。
＜２＞  複数の前記凸条部が、互いに平行に配列された前記＜１＞に記載の管状構造体である。
＜３＞  複数の前記凸条部が、一定間隔で配列された前記＜２＞に記載の管状構造体である。
＜４＞  前記樹脂製板体の前記凸条部を内側にし、かつ前記凸条部の長手方向と交差する方向に巻回された前記＜２＞から＜３＞のいずれかに記載の管状構造体である。
＜５＞  前記樹脂製板体の材質が、ポリプロピレン、ポリエチレン、ポリカーボネート、アクリル樹脂、ポリ塩化ビニル、及びポリエステルから選択される少なくとも１種である前記＜１＞から＜４＞のいずれかに記載の管状構造体である。
＜６＞  前記管状構造体の長手方向の中心軸と、前記凸条部とが平行ではない前記＜１＞から＜５＞のいずれかに記載の管状構造体である。
＜７＞  前記管状構造体が、複数層に構成されている前記＜１＞から＜６＞のいずれかに記載の管状構造体である。
＜８＞  前記管状構造体の最表面が、熱溶着されている前記＜１＞から＜７＞のいずれかに記載の管状構造体である。
＜９＞  前記凸条部の前記中空に、発光体を配置した前記＜１＞から＜８＞のいずれかに記載の管状構造体である。
＜１０＞前記凸条部の前記中空に、保冷剤、及び保温剤のいずれかを配置した前記＜１＞から＜９＞のいずれかに記載の管状構造体である。
【考案の効果】
【０００９】
本考案によると、従来における問題を解決することができ、運搬等の取り扱いが簡単であり、使用後においても廃棄処理を簡単に行うことができる管状構造体を提供することができる。
【図面の簡単な説明】
【００１０】
【図１】図１は、本考案の管状構造体の一実施形態を示す端面図である。
【図２】図２は、図１の管状構造体の側面図である。
【図３】図３は、図１に示す管状構造体の展開された状態（樹脂製板体）を示す斜視図である。
【図４】図４は、図３に示す樹脂製板体の凸条部の端面図である。
【図５】図５は、樹脂製板体の凸条部の他の一例を示す端面図である。
【図６】図６は、本考案の管状構造体をバリケードに用いたときの一使用形態を示す斜視図である。
【考案を実施するための形態】
【００１１】
（管状構造体）
本考案の管状構造体は、樹脂製板体が巻回された構造体であれば、その巻回形状、構造などに、特に制限はなく、目的に応じて適宜選択することができ、更に必要に応じて適宜選択したその他の部材を有する。
【００１２】
＜樹脂製板体＞
前記樹脂製板体は、平板と、前記平板の一方の前記表面に複数の凸条部とを有していれば、特に制限はなく、目的に応じて適宜選択することができる。
【００１３】
＜＜平板＞＞
前記平板としては、その構造、大きさ、材質などに特に制限はなく、目的に応じて適宜選択することができるが、矩形の平板であることが好ましい。
前記平板の構造としては、特に制限はなく、目的に応じて適宜選択することができる。
前記平板の大きさとしては、特に制限はなく、前記管状構造体の大きさに応じて適宜選択することができる。
前記平板の材質としては、樹脂であれば、特に制限はなく、目的に応じて適宜選択することができる。前記樹脂としては、例えば、ポリプロピレン、ポリエチレン、ポリカーボネート、アクリル樹脂、ポリ塩化ビニル、ポリエステルなどが挙げられる。これらは、１種単独で使用してもよいし、２種以上を併用してもよい。また、前記樹脂に蓄光塗料などを含有させてもよい。
【００１４】
＜＜凸条部＞＞
前記凸条部としては、中空（フルートともいう）であって、前記平板の一方の前記表面に、前記表面を基準として凸条であれば、その断面形状、構造、大きさ、材質、配列などに、特に制限はなく、目的に応じて適宜選択することができる。なお、複数の前記凸条部は、一定間隔で設けられていることが好ましい。
前記凸条部の断面形状としては、前記中空であれば、特に制限はなく、目的に応じて適宜選択することができ、例えば、矩形形状、台形形状、半楕円形状などが挙げられる。
前記凸条部の構造としては、中空構造であれば、特に制限はなく、目的に応じて適宜選択することができ、例えば、前記平板の一辺から前記一辺に対向する他辺に亘って設けられた構造、前記凸条部の両端が開口している構造、前記凸条部の両端のうち少なくともいずれか一方が閉じている構造などが挙げられる。
前記凸条部の大きさとしては、特に制限はなく、前記管状構造体、及び前記平板などの大きさに応じて適宜選択することができる。
前記凸条部の材質としては、樹脂であれば、特に制限はなく、目的に応じて適宜選択することができ、前記平板と同じ材質を用いてもよい。前記樹脂としては、例えば、ポリプロピレン、ポリエチレン、ポリカーボネート、アクリル樹脂、ポリ塩化ビニル、ポリエステルなどが挙げられる。これらは、１種単独で使用してもよいし、２種以上を併用してもよい。また、前記樹脂に蓄光塗料などを含有させてもよい。
前記凸条部の配列としては、特に制限はなく、目的に応じて適宜選択することができるが、例えば、複数の前記凸条部が、前記凸条部の長手方向が互いに平行となるように配列されていることが好ましい。
【００１５】
前記樹脂製板体の形成方法としては、特に制限はなく、目的に応じて適宜選択することができ、例えば、前記平板と前記凸条部とが一体に成形される射出成形などが挙げられる。
【００１６】
前記管状構造体の巻回方向としては、前記樹脂製板体を巻回させることができる方向であれば、特に制限はなく、目的に応じて適宜選択することができるが、例えば、複数の前記凸条部が、前記凸条部の長手方向が互いに平行となるように配列された前記樹脂製板体の場合は、前記樹脂製板体の前記凸条部を内側にし、かつ前記凸条部の長手方向と交差する方向であることが好ましく、前記凸条部の長手方向と直交する方向がより好ましい。
前記管状構造体の巻回形状としては、特に制限はなく、目的に応じて適宜選択することができ、例えば、前記管状構造体の長手方向の断面形状が、円筒体形状、多角筒体形状となる巻回形状などが挙げられる。
前記管状構造体の層構造については、特に制限はなく、目的に応じて適宜選択することができ、例えば、３層以上に巻回されているものなどが挙げられる。前記管状構造体が多層であれば、前記管状構造体の強度を上げることができる。
【００１７】
前記管状構造体の使用態様としては、特に制限はなく、目的に応じて適宜選択することができる。
【００１８】
−バリケードの使用態様−
前記バリケードの使用態様としては、例えば、前記管状構造体をバリケードの単管パイプに代えて用いる態様などが挙げられる。また、前記中空に前記発光体を配置し、誘導路表示、警告文表示を行う態様としてもよい。なお、前記中空に前記発光体を有する態様である場合、前記管状構造体の材質は、光透過性を有する樹脂であることが好ましい。
【００１９】
−発光させる態様−
前記発光させる態様としては、例えば、前記管状構造体の前記中空に発光体を挿入して、内部において発光させる態様などが挙げられ、具体的には、ＬＥＤアレイを複数の前記中空に挿入して発光させる態様などが挙げられる。なお、前記発光体を、前記管状構造体の管内に配置してもよい。
【００２０】
−保冷剤、又は保温剤を配置する態様−
前記保冷剤、又は保温剤を配置する態様としては、例えば、前記管状構造体の前記中空に保冷剤、又は保温剤を配置する態様が挙げられ、具体的には、前記中空に前記保冷剤又は前記保温剤を充填し、前記凸条部の両端を熱溶着などにより閉じる態様などが挙げられる。
【００２１】
−液体を流入させる態様−
前記液体を流入させる態様としては、例えば、前記管状構造体の前記中空に冷却剤、加熱剤などを含有する液体、及び蛍光塗料などを含有した液体を複数流入させる態様などが挙げられる。
【００２２】
−舞台美術などの大道具の代用とする態様−
前記舞台美術のなどの大道具の代用とする態様としては、前記管状構造体は加熱することにより凹みを付けたり、曲げることもでき、更には軽量であるため、例えば、まっすぐな前記管状構造体と、湾曲させた前記管状構造体とを複数組み合わせて、実際の樹木の代用とするために、表面に樹木の表面のデザインを施した態様、前記管状構造体の筒内部または前記中空を介して一端側から他端側に向かって煙などを排出する煙突とした態様、複数の前記管状構造体をそれぞれ、柱、梁、筋交いなどとし、簡易な建物とする態様などが挙げられる。
【００２３】
−遊技機とする態様−
前記遊技機とする態様としては、例えば、前記管状構造体の内部に玉などを挿入して転がす態様などが挙げられる。
【００２４】
−ベッドとする態様−
前記ベッドとする態様としては、例えば、前記管状構造体から前記管状構造体の長手方向と直交する方向が長手方向となるように前記樹脂製板体が延設された簡易なベッドとする態様などが挙げられる。
【００２５】
−柵とする態様−
前記柵とする態様としては、例えば、複数の前記管状構造体と複数の前記樹脂製板体とを組み合わせて、簡易な柵とする態様などが挙げられる。
【００２６】
−手すりとする態様−
前記手すりとする態様としては、例えば、複数の前記管状構造体を組み合わせて簡易な手すりとする態様などが挙げられる。
【００２７】
−家具とする態様−
前記家具とする態様としては、例えば、前記管状構造体と前記樹脂製板体とを組み合わせて簡易な家具とする態様などが挙げられる。
【００２８】
−ハンガー掛けとする態様−
前記ハンガー掛けとする態様としては、例えば、前記管状構造体の長手方向の側面に孔を空けて、壁面などに設置してハンガー掛けとする態様などが挙げられる。
【００２９】
＜その他の部材＞
前記その他の部材としては、特に制限はなく、目的に応じて適宜選択することができ、例えば、前記管状構造体の端部に装着させるカバー、及び前記管状構造体を締結する結束バンドなどが挙げられる。
【００３０】
（管状構造体の一実施形態）
次に、図面を用いて本考案の管状構造体の一実施形態を詳細に説明する。図１は、本考案の管状構造体の一実施形態を示す端面図である。図２は、図１の管状構造体の側面図である。図３は、図１に示す管状構造体の展開された状態（樹脂製板体）を示す斜視図である。図４は、図３に示す樹脂製板体の凸条部の端面図である。図５は、樹脂製板体の凸条部の他の一例を示す端面図である。なお、図２における破線部分は、凸条部２４を示している。
本考案の管状構造体１０は、図１、及び図２に示すように、平板２２と、凸条部２４とを有する。凸条部２４は、中空２６を有し、本実施形態では、管状構造体１０の長手方向両端部において開口を有している。
管状構造体１０は、図３及び図４に示す樹脂製板体２０が巻回されたもので、樹脂製板体２０は、平板２２と、平板２２から垂直に立設する凸条部２４とを有する。凸条部２４は、中空２６を有している。樹脂製板体２０の巻回方向としては、特に制限はなく、目的に応じて適宜選択することができ、例えば、図３に示す一端部２８から他端部２９まで、凸条部２４と、管状構造体１０の長手方向の中心軸とが平行となる方向、及び管状構造体１０の長手方向の前記中心軸と平行な方向に対して、凸条部２４が斜めに交差する方向などが挙げられる。なお、巻回する際に、ドライヤーなどの加熱手段において、樹脂製板体２０を加熱しつつ巻回し、管状構造体１０を得てもよい。また、管状構造体１０を得たときに、結束バンド等で固定してもよく、他端部２９を熱融着させてもよい。
なお、図５に示すような、波形状の凸条部２４を有する樹脂製板体２０を用いてもよい。
本考案の管状構造体１０は、単管パイプの代わりとしてだけではなく、管状構造体１０の長手方向に延伸する中空２６を有しているため、中空２６に、前記発光体、前記保冷剤、前記保温剤などを配置することができ、また、中空２６を流路として活用することもできる。
【００３１】
（管状構造体の一使用態様）
本考案の管状構造体１０は、図６に示すように、バリケード１００における単管パイプの代わりとして好適に使用することができる。図６は、本考案の管状構造体をバリケードに用いたときの一使用形態を示す斜視図である。
【００３２】
図６に示すように、本考案のバリケード１００は、支持脚２００と、管状構造体１０とを有する。
支持脚２００は、略Ａ字形状をしており、管状構造体１０を保持する保持部材２２０を、支持脚２００の上部と、梁２４０とに有している。
管状構造体１０は、支持脚２００の保持部材２２０に装着されており、一対の支持脚２００に掛け渡すことで、バリケード１００を成している。なお、管状構造体１０の中空２６に、発光体（図示しない）を装着させて、例えば、夜間などにおいて進路表示、危険を知らせる警告文などをできるようにしてもよい。
【００３３】
本考案の管状構造体は、上述した構造であるので、単管パイプの代わりとして好適に使用することができる。また、前記管状構造体を使用後に展開することにより、平板として積み重ねて保管することが可能となり、保管にも有利である。
【符号の説明】
【００３４】
１０    管状構造体
２０    樹脂製板体
２２    平板
２４    凸条部
２６    中空
２８    一端部
２９    他端部
１００    バリケード
２００    支持脚
２２０    保持部材
２４０    梁
【図１】
0003202299.tif 000003
【図２】
0003202299.tif 000004
【図３】
0003202299.tif 000005
【図４】
0003202299.tif 000006
【図５】
0003202299.tif 000007
【図６】
0003202299.tif 000008